(57)【要約】【課題】被散布物収容体内の被散布物の残量を容易に知ることができる散布装置を提供する。【解決手段】散布装置１は、被散布物を収容する被散布物収容体２を備える。被散布物収容体２内には、所定方向に回転して被散布物を繰り出す繰出用回転体21を設ける。被散布物収容体２には、繰出用回転体21を回転させる回転体駆動手段22である電動モータ25を設ける。負荷検知手段26が繰出用回転体21にかかる負荷を検知し、報知手段27がその負荷検知手段26の検知に基づいて作動する。【選択図】図１
2007252236.tif 000002
【特許請求の範囲】
【請求項１】
被散布物収容体と、
この被散布物収容体内に回転可能に配設され、回転して被散布物を繰り出す繰出用回転体と、
この繰出用回転体を回転させる回転体駆動手段と、
前記繰出用回転体にかかる負荷を検知する負荷検知手段と、
この負荷検知手段の検知に基づいて作動する報知手段と
を備えることを特徴とする散布装置。
【請求項２】
報知手段は、音および光の少なくともいずれか一方を発して報知する報知部を有する
ことを特徴とする請求項１記載の散布装置。
【発明の詳細な説明】
【技術分野】
【０００１】
本発明は、被散布物収容体内の被散布物の残量を容易に知ることができ、効率良く散布作業ができる散布装置に関するものである。
【背景技術】
【０００２】
従来、例えば底面部に散布用孔部を有する被散布物収容体と、被散布物収容体内に回転可能に配設され所定方向に回転することにより肥料等の被散布物を撹拌するとともに被散布物を散布用孔部側へ送るアジテータ等の繰出用回転体と、開状態となって散布用孔部を開口させ閉状態となって散布用孔部を閉鎖するフラップ等の開閉体と、トラクタのＰＴＯ軸側からの動力（ＰＴＯ出力）を入力軸から入力して回転体へ出力する動力入力手段とを備えた肥料散布機等の散布装置が知られている（例えば、特許文献１参照）。
【特許文献１】特開２００４−２６７１５０号公報
【発明の開示】
【発明が解決しようとする課題】
【０００３】
しかしながら、上記従来の散布装置では、被散布物収容体内の被散布物の残量を確認する場合、被散布物収容体の上部に取り付けられた開閉蓋を開いて被散布物収容体内を見なければならず、被散布物の残量確認に手間がかかるおそれがある。
【０００４】
本発明は、このような点に鑑みなされたもので、被散布物収容体内の被散布物の残量を容易に知ることができ、効率良く散布作業ができる散布装置を提供することを目的とする。
【課題を解決するための手段】
【０００５】
請求項１記載の散布装置は、被散布物収容体と、この被散布物収容体内に回転可能に配設され、回転して被散布物を繰り出す繰出用回転体と、この繰出用回転体を回転させる回転体駆動手段と、前記繰出用回転体にかかる負荷を検知する負荷検知手段と、この負荷検知手段の検知に基づいて作動する報知手段とを備えるものである。
【０００６】
請求項２記載の散布装置は、請求項１記載の散布装置において、報知手段は、音および光の少なくともいずれか一方を発して報知する報知部を有するものである。
【発明の効果】
【０００７】
請求項１に係る発明によれば、負荷検知手段が繰出用回転体にかかる負荷を検知し、報知手段がその負荷検知手段の検知に基づいて作動するため、被散布物収容体内の被散布物の残量を容易に知ることができ、効率良く散布作業ができる。
【０００８】
請求項２に係る発明によれば、音および光の少なくともいずれか一方によって、被散布物収容体内の被散布物の残量をより一層容易に知ることができる。
【発明を実施するための最良の形態】
【０００９】
本発明の散布装置の一実施の形態を図面を参照して説明する。
【００１０】
図１および図２において、１は散布装置で、この散布装置１は、例えば走行車であるトラクタＴの後部に３点リンク部（作業機昇降支持装置）Ｔ1を介して連結され、トラクタＴの走行により移動しながら圃場に粉状或いは粒状の被散布物、例えば肥料を落下させて散布する施肥機等である。
【００１１】
散布装置１は、トラクタＴの後部に３点リンク部Ｔ1を介して連結され被散布物が収容される左右方向長手状のホッパ等の被散布物収容体２を備えている。
【００１２】
被散布物収容体２は、側面視略三角形状をなす箱形状で、被散布物収容体２の底面部には、複数の散布用孔部（図示せず）が左右方向に間隔をおいて形成されている。そして、左右方向に間隔をおいて並んだ複数の孔部（図示せず）を有する湾曲板状の散布量調整用のシャッタ５が被散布物収容体２の底面部に沿って左右方向に移動可能に設けられている。シャッタ５にはシャッタ開閉ステー６およびシャッタ開閉リンクボール７等を介してシャッタ開閉用レバー８が取り付けられ、このシャッタ開閉用レバー８を回動軸（支点）９を中心として手動で回動操作すると、シャッタ５が被散布物収容体２の底面部に沿って左右方向に移動する。このシャッタ５の移動により被散布物収容体２の散布用孔部の開口量が変化し、散布用孔部から繰り出される被散布物の散布量が調整される。
【００１３】
また、被散布物収容体２の上面部には、被散布物を投入するための被散布物投入口部11が上面部略全体にわたって形成されている。また、被散布物収容体２の上部には、被散布物投入口部11を開閉する略矩形板状の蓋体12が回動可能に設けられている。蓋体12は、この蓋体12の長手方向に沿った前縁部側を中心とする上方への回動により開状態となって被散布物投入口部11を開口させ、蓋体12の長手方向に沿った前縁部側を中心とする下方への回動により閉状態となって被散布物投入口部11を閉鎖する。
【００１４】
さらに、被散布物収容体２の前面部の左右両側には、被散布物収容体２内の被散布物の残量を目視するための目視窓13が設けられている。各目視窓13は上下方向に長手方向を有する細長状に形成されている。
【００１５】
また、散布装置１は、被散布物収容体２内に回転可能に配設され所定方向に回転して被散布物収容体２内の被散布物を被散布物収容体２外へ繰り出すアジテータ等の繰出用回転体21と、この繰出用回転体21を回転させるモータ等の回転体駆動手段22とを備えている。
【００１６】
繰出用回転体21は、被散布物収容体２の下部内方に配設され軸方向が左右方向に一致する水平状の回転軸部23を有し、この回転軸部23の外周部には被散布物を撹拌するとともに被散布物を散布用孔部側へ送る撹拌送り板部24が突設されている。
【００１７】
回転体駆動手段22は、例えば１つの電動モータ25にて構成され、この電動モータ25は被散布物収容体２の側面部に固着され、この電動モータ25の出力軸が繰出用回転体21の回転軸部23に連結固定されている。そして、回転体駆動手段22を構成する１つの電動モータ25の駆動により繰出用回転体21が駆動回転し、この繰出用回転体21の回転により被散布物収容体２内の被散布物が撹拌されるとともに散布用孔部側へ送られて繰り出される。なお、繰出用回転体21の回転速度は電動モータ25を制御することで無段階に調節可能となっている。
【００１８】
また、散布装置１は、被散布物収容体２内の被散布物によって繰出用回転体21にかかる負荷を検知する負荷検知手段26と、この負荷検知手段26に電気的に接続されこの負荷検知手段26の検知に基づいて作動し被散布物収容体２内の被散布物の残量が所定量以下であることを報知する報知手段27とを備えている。
【００１９】
負荷検知手段26は、例えば電動モータ25へ供給される電流値等に基いて電動モータ25の負荷を検知することによって繰出用回転体21にかかる負荷を検知するもので、被散布物収容体２の前面部に固着され、配線28等を介して電動モータ25と電気的に接続されている。なお、電動モータ25の負荷は、被散布物収容体２内の被散布物の量によって増減し、被散布物収容体２内の被散布物の量が多くなれば電動モータ25の負荷が増大し、被散布物収容体２内の被散布物の量が少なくなれば電動モータ25の負荷が減少する。
【００２０】
報知手段27は、負荷検知手段26にて検知された検知負荷が予め設定された設定負荷以下であるか否かを判断する判断部29と、この判断部29によって検知負荷が設定負荷以下であると判断された場合に、音および光の少なくともいずれか一方を発して、トラクタに乗った作業者に被散布物収容体２内の被散布物の残量が所定量以下であること（つまり被散布物収容体２内の肥料等が残り少量であること）を報知する報知部30を有している。なお、報知部30は、ブザーやランプ等で、例えばトラクタの運転席付近、或いは被散布物収容体２の前面部や上面部等に設けられている。
【００２１】
また一方、散布装置１は、開状態となって被散布物収容体２の散布用孔部を開口させ、閉状態となって被散布物収容体２の散布用孔部を閉鎖するフラップ等の開閉体31と、この開閉体31を開状態および閉状態にする開閉体駆動手段32とを備えている。
【００２２】
開閉体31は、散布量調整用のシャッタ５の下面に当接して被散布物収容体２の散布用孔部を閉鎖する左右方向長手状で湾曲板状のウレタン等の合成樹脂製の開閉板部33を左右一対有している。各開閉板部33には、回動軸（支点）34を中心として回動可能なアーム部35が取り付けられ、このアーム部35には連結アーム部36の下端部が回動可能に連結され、この連結アーム部36の上端部にはアーム部37が回動可能に連結されている。開閉体駆動手段32は、例えば左右２つの電動モータ38にて構成され、各電動モータ38の出力軸38aにアーム部37が取り付けられている。
【００２３】
そして、開閉体駆動手段32を構成する２つの電動モータ38の駆動により開閉体31が開状態となってその開閉板部33がシャッタ５の下面から離れると被散布物収容体２の散布用孔部が開口し、また、電動モータ38の駆動により開閉体31が閉状態となってその開閉板部33がシャッタ５の下面に当接すると被散布物収容体２の散布用孔部がその開閉板部33にて閉鎖される。
【００２４】
次に、上記散布装置１の作用等を説明する。
【００２５】
散布装置１を用いて散布作業をする場合、蓋体12を開状態にして被散布物投入口部11を開口させ、この開口した被散布物投入口部11から被散布物を被散布物収容体２内へ投入する。被散布物の投入後、蓋体12を閉状態にして被散布物投入口部11を閉鎖する。
【００２６】
そして、トラクタＴの走行により散布装置１全体を前方に移動させると略同時に、例えば図示しないリモコン等の操作手段の作業開始ボタンを押すと、開閉体駆動手段32の電動モータ38が駆動され、開閉体31が閉状態から開状態になり、被散布物収容体２の下面部の散布用孔部が開口する。
【００２７】
その後、回転体駆動手段22の電動モータ25が駆動され、繰出用回転体21がスローアップして駆動回転する。そして、被散布物収容体２内の被散布物は、繰出用回転体21の回転により撹拌されながら散布用孔部側へ送られ、開口した散布用孔部から一定量ずつ繰り出される。
【００２８】
また、散布作業を停止するに当たり、例えば図示しないリモコン等の操作手段の作業停止ボタンを押すと、回転体駆動手段22の電動モータ25が停止し、繰出用回転体21がスローダウンして停止し、その後、開閉体駆動手段32の電動モータ38が駆動され、開閉体31が開状態から閉状態になる。
【００２９】
ここで、図３のフローチャートに示すように、被散布物の散布作業中、電動モータ25の負荷が負荷検知手段26にて検知され（ステップ１）、報知手段27の判断部29が、その負荷検知手段26にて検知された検知負荷が予め設定された設定負荷以下であるか否かを判断する（ステップ２）。
【００３０】
判断部29によって検知負荷が設定負荷以下であると判断された場合、報知部30が作動して音および光の少なくともいずれか一方を発する（ステップ３）。トラクタに乗った作業者は、報知部30の作動による音および光の少なくともいずれか一方によって、被散布物収容体２内の被散布物の残量が所定量以下になったことを知る。そして、作業者は、トラクタを一旦停止させ、被散布物を被散布物収容体２内へ投入する。
【００３１】
なお、判断部29によって検知負荷が設定負荷以下でないと判断された場合は、報知部30は作動しない。
【００３２】
このように、散布装置１によれば、負荷検知手段26が繰出用回転体21にかかる負荷（回転体駆動手段22の負荷）を検知し、報知手段27がその負荷検知手段26の検知に基づいて作動するため、トラクタに乗った作業者は、被散布物収容体２内の被散布物の残量が所定量以下になったことを容易に知ることができ、効率良く散布作業ができ、例えば残量不足のために一定量の被散布物が散布されない不具合等を確実に防止できる。
【００３３】
また、電動モータ38の負荷の大小によって被散布物収容体２内の被散布物の残量を検知するので、例えば被散布物収容体２内の被散布物を直接検知する残量検知センサーを被散布物収容体２内に設ける構成等に比べて、製造コストを低減できる。
【００３４】
なお、被散布物として肥料を散布する施肥機には限定されず、例えば図４に示すような肥料と種子とを散布する散布装置１でもよい。
【００３５】
この図４に示す散布装置１は、被散布物として肥料が収容される肥料用の被散布物収容体2aと被散布物として種子が収容される種子用の被散布物収容体2bとを備え、各被散布物収容体2a，2b内には所定方向に回転して各被散布物収容体2a，2b内の被散布物を被散布物収容体２外へ繰り出す繰出用回転体21が回転可能に配設されている。
【００３６】
また、各被散布物収容体2a，2bの側面部には、繰出用回転体21を回転させる回転体駆動手段22である電動モータ25がそれぞれ設けられ、２つの電動モータ25はモータカバー41によって覆われている。
【００３７】
各電動モータ25には電動モータ25の負荷を検知する負荷検知手段26がそれぞれ電気的に接続され、各負荷検知手段26には負荷検知手段26の検知に基づいて作動し被散布物収容体2a，2b内の被散布物の残量が所定量以下であることを報知する報知手段27がそれぞれ電気的に接続されている。そして、各報知手段27は、図示しない判断部によって検知負荷が設定負荷以下であると判断された場合に、光を発してトラクタに乗った作業者に被散布物収容体２内の被散布物の残量が所定量以下であることを報知するランプである報知部30を有している。各報知手段27は、被散布物収容体2a，2bの上面部に設けられている。
【００３８】
また、図４に示す散布装置１においては、被散布物収容体2a，2bは機枠42にて支持され、この機枠42がトラクタＴの後部に３点リンク部Ｔ1を介して連結される。この機枠42には、入力軸43、耕耘部44、作溝ディスク45、鎮圧ローラ46等が設けられている。また、被散布物収容体2a，2b内から繰り出された被散布物は、誘導管47を通って圃場面上に落下する。
【００３９】
そして、図４に示す散布装置１でも、図１に示すものと同様、負荷検知手段26が繰出用回転体21にかかる負荷を検知し、報知手段27がその負荷検知手段26の検知に基づいて作動するため、トラクタに乗った作業者は、被散布物収容体２内の被散布物の残量が所定量以下になったことを容易に知ることができ、効率良く散布作業ができ、例えば残量不足のために一定量の被散布物が散布されない不具合等を確実に防止できる。
【００４０】
なお、図４に示す実施の形態では、被散布物収容体2a内の繰出用回転体21と被散布物収容体2b内の繰出用回転体21とを別々の電動モータ25で回転させる構成について説明したが、例えば図５に示すように、被散布物収容体2a内の繰出用回転体21と被散布物収容体2b内の繰出用回転体21とに対して共通の１つの電動モータ25で回転させるようにし、この共通の電動モータ25の負荷が所定の設定負荷以下になった場合に報知手段27が作動してブザーである報知部30から音が鳴るようにしてもよい。
【００４１】
また、報知手段27は、音および光以外、例えば被散布物収容体２内の被散布物の残量が所定量以下になったことを表示部に表示して報知するもの、トラクタの運転席を振動させて報知するもの、或いはトラクタの走行を停止させて報知するもの等でもよい。
【００４２】
さらに、電動モータ25の負荷の応じてブザーからの音が断続音から連続音に変化したり、電動モータ25の負荷の応じてランプの光が点滅から点灯に変化したりするようにしてもよい。
【００４３】
また、例えば負荷検知手段26が検知した検知負荷が設定負荷以下になった場合に、報知手段27が被散布物収容体２内の被散布物の残量が所定量以下であることをトラクタの運転席に乗った作業者に報知するとともに、開閉体31が閉状態となって被散布物収容体２の散布用孔部を閉鎖するようにしてもよい。
【００４４】
さらに、負荷検知手段26は、電動モータ25へ供給される電流値等に基いて繰出用回転体21にかかる負荷を検知するものには限定されず、例えば図６に示すように、被散布物収容体２の側面部に設けられた回転速度センサ26a等からなり、繰出用回転体21の回転速度値等に基いて繰出用回転体21にかかる負荷を検知するもの等でもよい。
【図面の簡単な説明】
【００４５】
【図１】本発明の一実施の形態に係る散布装置の側面図である。
【図２】同上散布装置の正面図である。
【図３】同上散布装置の動作を説明するためのフローチャートである。
【図４】本発明の他の実施の形態に係る散布装置の側面図である。
【図５】本発明のさらに他の実施の形態に係る散布装置の要部側面図である。
【図６】本発明のさらに別の他の実施の形態に係る散布装置の正面図である。
【符号の説明】
【００４６】
１    散布装置
２，2a，2b    被散布物収容体
21    繰出用回転体
22    回転体駆動手段
26    負荷検知手段
27    報知手段
30    報知部
【図１】
2007252236.tif 000003
【図２】
2007252236.tif 000004
【図３】
2007252236.tif 000005
【図４】
2007252236.tif 000006
【図５】
2007252236.tif 000007
【図６】
2007252236.tif 000008